(57)【要約】【課題】制御する被制御機器の選択操作を行わなくとも、所望の被制御機器の制御を容易に可能とする。【解決手段】リモートコントロール装置によって制御される被制御機器に、被制御機器固有の機器識別情報を提示する情報提示手段を設ける。リモートコントロール装置は、機器識別情報の取り込みを行い、取り込んだ機器識別情報に基づいて被制御機器を判別して、この判別された被制御機器に対応するリモートコントロール信号を送信する。制御する被制御機器の選択操作を行わなくとも、リモートコントロール装置を所望の被制御機器に向けてリモートコントロール操作を行うだけで、所望の被制御機器に対応したリモートコントロール信号を送信できる。【選択図】        図１
2007110350.tif 000002
【特許請求の範囲】
【請求項１】
リモートコントロール装置と、該リモートコントロール装置によって制御される被制御機器で構成されるリモートコントロールシステムにおいて、
前記被制御機器は、該被制御機器固有の機器識別情報を提示する情報提示手段を有し、
前記リモートコントロール装置は、
前記機器識別情報を取り込む情報取込手段と、
ユーザ操作に応じた操作信号を生成する操作手段と、
前記操作信号に基づいてユーザ操作が行われたと判別したとき、前記情報取込手段で取り込んだ機器識別情報が示す被制御機器において用いられるリモートコントロール信号を、前記操作信号に応じて生成する信号生成手段と、
前記信号生成手段で生成された信号を無線信号として送信する送信手段とを有する
ことを特徴とするリモートコントロールシステム。
【請求項２】
前記情報提示手段は、
前記機器識別情報を示す情報信号を生成する情報信号生成部と、
前記情報信号生成部で生成された前記情報信号を無線信号として送信する通信部とを有し、
前記機器識別情報を無線信号として送信することで前記機器識別情報の提示を行う
ことを特徴とする請求項１記載のリモートコントロールシステム。
【請求項３】
前記リモートコントロール装置の信号生成手段は、前記操作信号に基づいてユーザ操作が行われたことを判別したとき、前記機器識別情報の要求を示す信号を生成して前記送信手段に供給し、
前記情報提示手段の通信部は、前記リモートコントロール装置から送信された無線信号の受信を行い、該通信部によって前記機器識別情報の要求を示す信号を受信したとき、前記情報信号生成部で前記情報信号を生成して前記通信部から無線信号として送信することで前記機器識別情報の提示を行う
ことを特徴とする請求項２記載のリモートコントロールシステム。
【請求項４】
前記情報提示手段の通信部は、前記リモートコントロール装置から送信された無線信号の受信を行うものとし、
前記通信部で前記リモートコントロール信号を受信したことを示す表示を行う表示手段を前記情報提示手段に設けた
ことを特徴とする請求項２記載のリモートコントロールシステム。
【請求項５】
前記リモートコントロール装置の情報取込手段は、前記機器識別情報の取り込みを行う際の指向性を切り換え可能に構成した
ことを特徴とする請求項２記載のリモートコントロールシステム。
【請求項６】
前記リモートコントロール装置の情報取込手段は、電波を用いて前記情報提示手段の通信部と通信を行う通信部を有し、
前記リモートコントロール装置の信号生成手段は、前記操作信号によってユーザ操作が行われたことを判別したとき、前記情報取込手段の通信部から電波を送信させるものとし、
前記情報提示手段の情報信号生成部は、前記情報取込手段の通信部から送信された電波を前記通信部で受信することにより動作を開始して、前記生成した前記情報信号を前記通信部から送信することで前記機器識別情報の提示を行う
ことを特徴とする請求項２記載のリモートコントロールシステム。
【請求項７】
前記情報提示手段は、前記機器識別情報を示すコード画像を表示することで前記機器識別情報の提示を行い、
前記リモートコントロール装置の情報取込手段は、前記コード画像を読み取って前記機器識別情報を得る
ことを特徴とする請求項１記載のリモートコントロールシステム。
【請求項８】
前記情報取込手段は、前記送信手段における前記無線信号の送信方向の位置で提示される機器識別情報を取り込むことができるように、前記リモートコントロール装置に設けた
ことを特徴とする請求項１記載のリモートコントロールシステム。
【請求項９】
制御する被制御機器固有の機器識別情報を取り込む情報取込手段と、
ユーザ操作に応じた操作信号を生成する操作手段と、
前記操作信号に基づいてユーザ操作が行われたと判別したとき、前記情報取込手段で取り込んだ機器識別情報が示す被制御機器において用いられるリモートコントロール信号を、前記操作信号に応じて生成する信号生成手段と、
前記信号生成手段で生成された信号を無線信号として送信する送信手段を有する
ことを特徴とするリモートコントロール装置。
【請求項１０】
リモートコントロール装置によって制御される被制御機器から、該被制御機器固有の機器識別情報を提示する情報提示工程と、
前記リモートコントロール装置によって前記機器識別情報を取り込む情報取込工程と、
ユーザ操作に応じた操作信号を生成する操作信号生成工程と、
前記操作信号に基づいてユーザ操作が行われたと判別したとき、前記情報取込工程で取り込んだ機器識別情報が示す被制御機器において用いられるリモートコントロール信号を、前記操作信号に応じて生成する信号生成工程と、
前記信号生成工程で生成された信号を無線信号として送信する送信工程を有する
ことを特徴とするリモートコントロール方法。
【発明の詳細な説明】
【技術分野】
【０００１】
この発明は、リモートコントロールシステムとリモートコントロール装置およびリモートコントロール方法に関する。詳しくは、リモートコントロール装置で制御される被制御機器側で被制御機器固有の機器識別情報を提示するものとし、リモートコントロール装置は、ユーザ操作が行われたと判別したとき、取り込んだ機器識別情報が示す被制御機器において用いられるリモートコントロール信号を、ユーザ操作に応じて生成して送信するものである。
【背景技術】
【０００２】
一般家庭では、様々な家電機器が用いられており、これらの家電機器には、リモートコントロール装置を用いて離れた位置からでも容易に制御できる機器が数多く含まれている。しかし、リモートコントロール装置を用いて制御できる機器が増えるにつれ、リモートコントロール装置の数も膨大になり、所望の機器を制御したい場合に、その都度、所望の機器に対応したリモートコントロール装置を用いなければならず操作が煩雑となってしまう。また、操作キーの配置や操作キーに割り当てられている機能は、各リモートコントロール装置で統一されていないので、操作がさらに煩雑となってしまう。このため、複数の被制御機器に対応したリモートコントロール信号を送信できるように予め構成されているリモートコントロール装置、所謂プリセットリモコンが提供されている。
【０００３】
プリセットリモコンは、スライドスイッチのスイッチ操作や所定のキー操作等によって、被制御機器の指定が可能とされている。また、例えば音量の調整やチャネル切り換え等の主要な操作で用いる操作キーは、選択された被制御機器によらず共通に使用できるように構成されている。このため、ユーザはプリセットリモコンを用いたキー操作に習熟することで、いずれの被制御機器が選択されたかにかかわらず、主要な操作を容易に行うことができる。また、制御する被制御機器に対応したリモートコントロール装置を、その都度用いる必要もない。しかし、プリセットリモコンでは、被制御機器が正しく指定されていないと、所望の被制御機器とは異なる被制御機器に対応したリモートコントロール信号が送信されてしまい、所望の被制御機器を正しく制御することができない。また、所望の被制御機器とは異なる被制御機器を誤って制御してしまうおそれもある。
【０００４】
このような問題を解決するため、特許文献１の発明では、送信されたリモートコントロール信号の光強度を各機器で受信・比較して、より強い信号を受信した機器が動作するようになされている。また、特許文献２の発明では、リモートコントロール装置から問い合わせ信号を送信して、応答のあった機器の一覧を表示手段に表示させて、ユーザに選択させるようになされている。さらに、特許文献３の発明では、部屋にある各機器の存在をセットトップボックス等からリモートコントロール装置に送信し、リモートコントロール装置側で一覧表示させて機器の選択を容易とすることが行われている。
【０００５】
【特許文献１】特開２００３−３２７６０号公報
【特許文献２】特開平１０−１６４６７３号公報
【特許文献３】特開平８−１８８１３号公報
【発明の開示】
【発明が解決しようとする課題】
【０００６】
ところで、より強い信号を受信した機器が動作するようにリモートコントロールシステムを構成した場合、被制御機器が離れた位置に設けられており、他の機器が近くに設けられていると、被制御機器に向けてリモートコントロール信号を送信しても、近くに設けられている被制御機器における信号強度が、被制御機器における信号強度よりも強くなって、被制御機器を制御することができなくなってしまう。また、各機器で受信信号強度を比較するため、何らかの方法を用いて各機器間で情報をやりとりする必要があり、リモートコントロールシステムを簡単かつ容易に構築することができない。
【０００７】
リモートコントロール装置から問い合わせ信号を送信して、応答のあった機器の一覧を表示させてユーザに選択させる場合、ユーザは、表示された機器の一覧から被制御機器を選択する操作が必要となることから、真に使いやすいインターフェースとは言えない。
【０００８】
さらに、部屋にある各機器の存在をセットトップボックス等からリモートコントロール装置に送信し、リモートコントロール装置側で一覧表示させる場合も、ユーザがリモートコントロール装置で被制御機器を選択するという手間がかかる。
【０００９】
そこで、この発明では、被制御機器の選択操作を行わなくとも、所望の被制御機器に応じたリモートコントロール信号を送信するようにして、容易に所望の被制御機器を制御可能とするリモートコントロールシステムとリモートコントロール装置、およびリモートコントロール方法を提供するものである。
【課題を解決するための手段】
【００１０】
この発明では、リモートコントロール装置によって制御される被制御機器には、該被制御機器固有の機器識別情報を提示する情報提示手段、例えば機器識別情報を無線信号として送信する情報送信装置やＲＦＩＤタグ、機器識別情報を示すバーコード等を設ける。リモートコントロール装置には、情報提示手段で提示された機器識別情報を取り込む情報取込手段を設ける。例えば赤外線信号として送信された機器識別情報を受信する受光モジュール、ＲＦＩＤタグからの電波を受信して機器識別情報を得るＲＦＩＤリーダ、バーコードを読み取るバーコードリーダ等を設ける。ここで、リモートコントロール装置は、操作信号に基づきユーザ操作が行われたと判別したとき、情報取込手段で取り込んだ機器識別情報が示す被制御機器において用いられるリモートコントロール信号を、操作信号に応じて生成して無線信号として送信する。
【発明の効果】
【００１１】
この発明によれば、操作信号に基づいてユーザ操作が行われたと判別したとき、情報取込手段で取り込んだ機器識別情報が示す被制御機器において用いられるリモートコントロール信号が、操作信号に応じて生成されて無線信号として送信される。
【００１２】
このため、リモートコントロール装置を例えば所望の被制御機器に設けられた情報提示手段の方向に向けてキー操作を行えば、所望の被制御機器を示す機器識別情報が取り込まれて、この所望の被制御機器において用いられるリモートコントロール信号が、キー操作に応じて生成されて送信されることとなり、被制御機器の選択操作を行わなくとも、容易に所望の被制御機器を制御できる。
【００１３】
また、所望の被制御機器の機器識別情報を取り込める方向にリモートコントロール装置を向けてキー操作を行うだけで、所望の被制御機器で用いられているリモートコントロール信号をキー操作に応じて生成して送信できるので、ユーザにとって直感的でわかりやすく、快適なリモートコントロール操作を行うことが可能となる。また、操作ミスも減少させることができる。
【発明を実施するための最良の形態】
【００１４】
以下、この発明の実施の形態について説明する。この発明のリモートコントロールシステムでは、リモートコントロール装置で制御される被制御機器に、被制御機器固有の機器識別情報を提示する情報提示手段を設ける。また、リモートコントロール装置には、機器識別情報の取り込みを行う情報取込手段を設け、ユーザ操作が行われたときに、情報取込手段で取り込んだ機器識別情報が示す被制御機器で用いられるリモートコントロール信号を、ユーザ操作に応じて生成して送信する。
【００１５】
ここで、機器識別情報は、リモートコントロール装置の動作にかかわらず提示する。あるいは、リモートコントロール装置から機器識別情報の要求を示す信号が供給されたときに提示する。また、機器識別情報の提示は、光や電波を用いて無線方式で行う。また、機器識別情報を示すコード画像、例えば情報の記録方向が１方向のみである所謂１次元バーコードや、情報の記録方向が水平方向と垂直方向である所謂２次元バーコードを設けて、このコード画像をリモートコントロール装置で読み取ることで、機器識別情報を得るようにすることもできる。以下、それぞれの場合について、図を用いて詳細に説明する。
【００１６】
図１は、第１の形態の概略構成を示している。リモートコントロールシステム１０aでは、リモートコントロール装置の動作にかかわらず赤外光を用いて機器識別情報の提示を行う場合を示している。なお、図１では、２つの被制御機器２１，２２をリモートコントロール装置４０aによって個々に操作する場合を示している。
【００１７】
被制御機器２１には、情報提示手段として、被制御機器２１の機器識別情報を無線信号として送信する識別情報送信装置３１が設けられている。また、被制御機器２１には、リモートコントロール装置４０aから送信される赤外線リモートコントロール信号ＩＲmを受信するためのリモートコントロール信号受信部２１１が設けられている。
【００１８】
被制御機器２２には、情報提示手段として、被制御機器２２の機器識別情報を無線信号として送信する識別情報送信装置３２が設けられている。また被制御機器２２には、リモートコントロール装置４０aから送信される赤外線リモートコントロール信号ＩＲmを受信するためのリモートコントロール信号受信部２２１が設けられている。
【００１９】
識別情報送信装置３１は、機器識別情報に基づいて生成した赤外線情報信号ＩＲe1を常に繰り返して送信する。識別情報送信装置３２は、機器識別情報に基づいて生成した赤外線情報信号ＩＲe2を常に繰り返して送信する。また、識別情報送信装置３１，３２は、被制御機器２１，２２が赤外線リモートコントロール信号ＩＲmを受信することができる動作状態であるとき、例えばスタンバイ状態やパワーオン状態であるとき、この状態である期間中、赤外線情報信号ＩＲe1，ＩＲe2を常に繰り返し送信するものとしても良い。
【００２０】
リモートコントロール装置４０aは、所望の被制御機器の機器識別情報を示す赤外線情報信号を受信して機器識別情報の取り込みを行い、取り込んだ機器識別情報が示す被制御機器において用いられるリモートコントロール信号を、操作信号に応じて生成して赤外線リモートコントロール信号ＩＲmとして送信する。
【００２１】
図２は、第１の形態における識別情報送信装置３１とリモートコントロール装置４０aの構成を示している。なお、識別情報送信装置３２は、識別情報送信装置３１と等しく構成されているものであり、識別情報送信装置３２の説明は省略する。
【００２２】
識別情報送信装置３１は、情報信号生成部３１１と通信部３１２とで構成されている。情報信号生成部３１１のメモリ３１１aは、被制御機器２１の機器識別情報ＤＥを記憶している。この機器識別情報ＤＥは、被制御機器２１でどのようなフォーマットのリモートコントロール信号が用いられているかを判別可能とする情報であり、例えば被制御機器２１の製造メーカー情報、被制御機器２１がテレビジョン装置やディスク装置等のいずれのカテゴリに属する機器であるかを示すカテゴリ情報を有する。また、機種の情報等も有するようにすれば、被制御機器２１の判別を詳細に行うことが可能となるので、機種毎に機能が異なる場合であっても、それぞれの機種に応じたリモートコントロール信号をリモートコントロール装置で生成可能となる。
【００２３】
情報信号生成部３１１のマイクロコンピュータ３１１bは、メモリ３１１aに記憶されている機器識別情報ＤＥを読み出し、読み出した機器識別情報に基づいて情報信号ＲＥを生成して通信部３１２に供給する。
【００２４】
図３は、情報信号のフォーマットを例示したものである。情報信号のスタートビット部ＢＳは、情報信号におけるフレーム開始を示すものであり、エンドビット部ＢＥはフレーム終了を示すものである。また、情報ビット部ＢＩは機器識別情報を示すものであり、例えば被制御機器の製造メーカー情報を示すメーカ情報ビット部ＢＩmと、被制御機器のカテゴリを示すカテゴリビット部ＢＩcと、被制御機器の機種を示すタイプビット部ＢＩtを有している。
【００２５】
図２において、通信部３１２は、ドライバ３１２aと発光素子３１２bで構成されている。ドライバ３１２aは、トランジスタや抵抗器等を用いて構成されており、情報信号ＲＥに基づいて発光素子３１２bを駆動する。発光素子３１２bは赤外線発光ダイオード等で構成されており、ドライバ３１２aによって駆動されて、赤外線情報信号ＩＲe1を出力する。例えば、５０ｍｓの時間間隔を持たせて、情報信号ＲＥの送信を繰り返す。なお、被制御機器２１からマイクロコンピュータ３１１bに対して、スタンバイ状態やパワーオン状態等であることを示す信号を供給して、被制御機器２１が赤外線リモートコントロール信号ＩＲmを受信可能であるときにのみ、通信部３１２から赤外線情報信号ＩＲe1を出力させるものとしても良い。
【００２６】
リモートコントロール装置４０aは、情報取込部４１０aと操作部４２０と信号生成部４３０aおよび送信部４４０で構成されている。
【００２７】
情報取込部４１０aは、識別情報送信装置から送信された赤外線情報信号を受信する受光モジュール４１１を用いて構成されている。受光モジュール４１１は、フォトダイオード（図示せず）や、フォトダイオードで生成された信号のレベル調整や波形整形等を行う信号処理部（図示せず）を用いて構成する。この受光モジュール４１１では、赤外線信号を受光したときにフォトダイオードで生成された信号を信号処理部で処理して、信号処理部で得られた信号を受信信号ＲＳとして、信号生成部４３０aのマイクロコンピュータ４３２aに供給する。
【００２８】
また、受光モジュール４１１は、後述する送信部４４０から送信される赤外線リモートコントロール信号ＩＲmの放射方向から送信された赤外線情報信号を受信できるように、リモートコントロール装置４０aに設ける。
【００２９】
さらに、受光モジュール４１１は、機器識別情報の取り込みを行う際に、すなわち機器情報送信装置からの赤外線情報信号を受信する際に、指向特性を広くあるいは狭くすることができるように構成する。
【００３０】
図４は、指向特性を切り換えられるようにした受光モジュール４１１の構成を示している。例えば、半値角が小さい狭指向性のフォトダイオード４１１aと半値角が大きい広指向性のフォトダイオード４１１bを設けて、いずれかのフォトダイオードで生成された信号を選択スイッチ４１１cで選択する。なお、選択スイッチ４１１cの切り換え制御は、信号生成部４３０aから供給された制御信号ＳＣに基づいて行う。信号処理部４１１dは、選択スイッチ４１１cから供給された信号に対して信号レベルの調整や波形整形等の処理を行い、処理後の信号を受信信号ＲＳとしてマイクロコンピュータ４３２aに供給する。このようにすれば、受光モジュール４１１の指向特性を半値角θaあるいは半値角θbのいずれかに切り換えることができる。
【００３１】
操作部４２０は、複数の操作キーで構成されており、ユーザのキー操作に応じた操作信号ＰＳを生成して、マイクロコンピュータ４３２aに供給する。
【００３２】
信号生成部４３０aは、メモリ４３１とマイクロコンピュータ４３２aで構成されている。メモリ４３１には、リモートコントロール装置４０aで制御する被制御機器毎に、操作キーに対応するデータコードＤＭが記憶されている。マイクロコンピュータ４３２aは、受信信号ＲＳに基づいて制御信号ＳＣの生成を行い、生成した受光モジュール４１１に供給することで指向特性の切り換えを行う。また、受信信号ＲＳから機器識別情報を取り出して、被制御機器の判別を行う。また、被制御機器の判別結果と操作部４２０からの操作信号ＰＳに基づいて、メモリ４３１からデータコードＤＭを読み出して、この読み出したデータコードＤＭを用いてリモートコントロール信号ＲＭを生成して送信部４４０に供給する。すなわち、情報取込部で取り込んだ機器識別情報が示す被制御機器において用いられるリモートコントロール信号を、操作部のキー操作に応じて生成して送信部４４０に供給する。
【００３３】
送信部４４０は、ドライバ４４１と発光素子４４２で構成されている。ドライバ４４１は、トランジスタや抵抗器等を用いて構成されており、信号生成部４３０aから供給されたリモートコントロール信号ＲＭに基づいて発光素子４４２を駆動する。発光素子４４２としては、例えば赤外発光ダイオードが用いられており、ドライバ４４１によって駆動されて、赤外線リモートコントロール信号ＩＲmを出力する。
【００３４】
次に、図５を用いて第１の形態におけるリモートコントロール装置の動作について説明する。ステップＳＴ１でマイクロコンピュータ４３２aは、キー操作が行われたか否かを判別する。ここで、操作部４２０の操作信号ＰＳに基づき、キー操作が行われたと判別したときにはステップＳＴ２に進む。また、キー操作が行われたと判別されないときにはステップＳＴ１に戻る。
【００３５】
ステップＳＴ２でマイクロコンピュータ４３２aは、情報取込部４１０aの指向特性を広く設定して機器識別情報の取り込みを行い、ステップＳＴ３に進む。例えば、上述の図４に示すように受光モジュール４１１が構成されている場合、マイクロコンピュータ４３２aは、受光モジュール４１１の選択スイッチ４１１cに制御信号ＳＣを供給して、広指向性のフォトダイオード４１１bで生成された信号を選択させる。
【００３６】
ステップＳＴ３でマイクロコンピュータ４３２aは、受信信号ＲＳから１つの被制御機器についての機器識別情報のみが得られたか否かを判別する。ここで、１つの被制御機器についての機器識別情報のみが得られていないときはステップＳＴ４に進み、１つの被制御機器についての機器識別情報のみが得られたときにはステップＳＴ７に進む。ここで、上述の図４に示すように、フォトダイオード４１１bの指向性の範囲Ｗbに、識別情報送信装置３１，３２が含まれており、受信信号ＲＳに基づき被制御機器２１と被制御機器２２の機器識別情報が得られたとき、あるいは識別情報送信装置３１と識別情報送信装置３２から送信された信号が混信して、被制御機器２１，２２のいずれの機器識別情報も得ることができないときには、ステップＳＴ４に進む。また、フォトダイオード４１１bの指向性の範囲Ｗbに識別情報送信装置が含まれない場合にもステップＳＴ４に進むこととなる。
【００３７】
ステップＳＴ４でマイクロコンピュータ４３２aは、指向特性を狭く設定して機器識別情報の取り込みを行い、ステップＳＴ５に進む。すなわち、上述の図４に示すように受光モジュール４１１が構成されている場合、マイクロコンピュータ４３２aは、制御信号ＳＣを受光モジュール４１１の選択スイッチ４１１cに供給して、狭指向性のフォトダイオード４１１aで生成された信号を選択させる。
【００３８】
ステップＳＴ５でマイクロコンピュータ４３２aは、受信信号ＲＳから１つの被制御機器についての機器識別情報のみが得られたか否かを判別する。ここで、１つの被制御機器についての機器識別情報のみが得られていないときはステップＳＴ６に進み、１つの被制御機器についての機器識別情報のみが得られたときにはステップＳＴ７に進む。ここで、図４に示すように受光モジュールが構成されている場合、狭指向性のフォトダイオード４１１aを選択することで、フォトダイオード４１１aの指向性の範囲Ｗaに、識別情報送信装置３１のみが含まれることとなり、被制御機器２１についての機器識別情報のみが得られてステップＳＴ７に進む。また、図示せずも、フォトダイオード４１１aの指向性の範囲Ｗaに、識別情報送信装置が含まれない場合あるいは識別情報送信装置が複数含まれる場合のように、１つの被制御機器についての機器識別情報のみを得ることができない場合にはステップＳＴ６に進む。
【００３９】
ステップＳＴ６でマイクロコンピュータ４３２aは、リモートコントロール装置で操作する被制御機器を特定できないことを示す警告表示を行ってステップＳＴ１に戻る。この警告表示では、リモートコントロール装置４０aに表示部（図示せず）が設けられている場合、この表示部を利用して行う。また、リモートコントロール信号の送信が行われていることを示す発光素子が設けられている場合、この発光素子をリモートコントロール信号の送信時とは異なる色で発光させて警告表示を行うものとしても良い。さらに、警告表示を行う発光素子を別個に設けるものとしても良い。
【００４０】
ステップＳＴ７でマイクロコンピュータ４３２aは、機器識別情報に基づき被制御機器の判別を行ってステップＳＴ８に進む。
【００４１】
ステップＳＴ８でマイクロコンピュータ４３２aは、操作信号ＰＳに基づき、操作部４２０のいずれの操作キーが操作されたかを判別してステップＳＴ９に進む。
【００４２】
ステップＳＴ９でマイクロコンピュータ４３２aは、データコードの読み出しを行う。ここで、マイクロコンピュータ４３２aは、操作キーに対応するデータコードが被制御機器毎に記憶されているメモリ４３１から、ステップＳＴ７で判別された被制御機器において、ステップＳＴ８で操作されたと判別された操作キーに対応するデータコードを読み出してステップＳＴ１０に進む。
【００４３】
ステップＳＴ１０でマイクロコンピュータ４３２aは、リモートコントロール信号の送信を行いステップＳＴ１に戻る。このリモートコントロール信号の送信では、例えばステップＳＴ９で読み出したデータコードでキャリア信号の変調を行うことによりリモートコントロール信号ＲＭを生成する。さらに、生成したリモートコントロール信号ＲＭによって発光素子を駆動して、赤外線リモートコントロール信号ＩＲmとして送信させる。
【００４４】
このように、被制御機器に設けた識別情報送信装置から機器識別情報を常に繰り返して送信しておき、リモートコントロール装置でキー操作が行われたとき機器識別情報の取り込みを行い、取り込んだ機器識別情報が示す被制御機器において用いられるリモートコントロール信号を、キー操作に応じて生成して送信する。このため、ユーザは、被制御機器の選択操作を行わなくとも、所望の被制御機器の機器識別情報を取り込める方向にリモートコントロール装置を向けてキー操作を行うだけで、容易に所望の被制御機器を制御できる。また、ユーザにとって直感的でわかりやすく、快適なリモートコントロール操作を行うことが可能となる。また、操作ミスも減少させることができる。
【００４５】
さらに、機器識別情報の取り込みを行う際に、自動的に指向特性が切り換えられるので、機器識別情報の取り込みを容易かつ精度良く行うことができる。
【００４６】
なお、リモートコントロール装置４０aに表示部（図示せず）を設けて、機器識別情報に基づいて判別された被制御機器を表示するものとしたり、判別された被制御機器の制御内容を操作キーに対応させて表示すれば、さらにリモートコントロール操作を容易で正しく行うことができる。
【００４７】
ところで、第１の形態のように機器識別情報を常に繰り返して送信すると、リモートコントロール操作を行わない場合でも機器識別情報の送信が行われることから、電力が無駄に消費されてしまう。また、識別情報送信装置から不必要に赤外線情報信号が送信されてしまう。そこで、機器識別情報が必要とされる場合にのみ、機器識別情報の送信を行う構成を第２の形態として説明する。
【００４８】
図６は、第２の形態の概略構成を示している。リモートコントロールシステム１０bにおいて、リモートコントロール装置４０bは、キー操作が行われたとき、機器識別情報の問い合わせを行う。また、被制御機器には、リモートコントロール装置４０bから機器識別情報の問い合わせを示す信号が供給されたとき、被制御機器の機器識別情報を無線信号として送信する識別情報送信装置を設ける。なお、図６では、被制御機器２１に識別情報送信装置３３を設けた場合を図示している。また、リモートコントロール装置４０bは図１に示すリモートコントロール装置４０aと同様に構成されているものである。
【００４９】
図７は、第２の形態における識別情報送信装置３３の構成を示している。なお、図７において、図２に示す識別情報送信装置３１と対応する部分については同一符号を付し、詳細な説明は省略する。
【００５０】
識別情報送信装置３３の通信部３３２は、リモートコントロール装置４０bから送信された赤外線リモートコントロール信号ＩＲmを受信する受光モジュール３３２aと、ドライバ３１２aと発光素子３１２bで構成されている。受光モジュール３３２aは、赤外線リモートコントロール信号ＩＲmをフォトダイオード（図示せず）で受光したときに、フォトダイオードで生成された信号のレベル調整や波形整形等を信号処理部（図示せず）で行い、この信号処理部で処理された信号を受信信号ＲＴとして、情報信号生成部３３１のマイクロコンピュータ３３１aに供給する。マイクロコンピュータ３３１aは、受信信号ＲＴで機器識別情報の問い合わせが行われたことを判別したとき、メモリ３１１aに記憶されている機器識別情報ＤＥを読み出す。また、マイクロコンピュータ３３１aは、読み出した機器識別情報ＤＥに基づいて情報信号ＲＥを生成して通信部３３２のドライバ３１２aに供給して、機器識別情報を示す赤外線情報信号ＩＲe1を発光素子３１２bから出力させる。
【００５１】
また、マイクロコンピュータ３３１aは、機器識別情報の送信処理後に通信部３３２から受信信号ＲＴとしてリモートコントロール信号ＲＭが供給されたとき、表示部３３３のドライバ３３３aに表示駆動信号ＬＤを供給する。
【００５２】
表示部３３３のドライバ３３３aは、可視光を放射する発光素子３３３b、例えば赤色や緑色等の光を放射する発光ダイオードと接続されている。ドライバ３３３aは、マイクロコンピュータ３３１aから供給された表示駆動信号ＬＤに基づいて発光素子３３３bを駆動する。このため、リモートコントロール装置４０bからリモートコントロール信号ＲＭが送信されたことを、表示部３３３の表示で判別できるので、リモートコントロール装置４０bによって被制御機器の制御が行われていることを、ユーザが容易に識別できる。
【００５３】
図８は、第２の形態の動作を示すシーケンス図である。リモートコントロール装置４０bは操作部４２０でキー操作ＫＡが行われたとき、機器識別情報の問い合わせを示す赤外線リモートコントロール信号ＩＲm-kを送信する。
【００５４】
識別情報送信装置３３は、機器識別情報の問い合わせを示す赤外線リモートコントロール信号ＩＲm-kを受信したとき、機器識別情報を示す情報信号の送信処理ＫＢを行い、機器識別情報を示す赤外線情報信号ＩＲe1を送信する。
【００５５】
リモートコントロール装置４０bは、赤外線情報信号ＩＲe1を受信したときリモートコントロール信号送信処理ＫＣを行う。このリモートコントロール信号送信処理ＫＣでは、赤外線情報信号ＩＲe1で示された機器識別情報ＤＥに基づき被制御機器２１を判別して、この被制御機器２１において用いられるリモートコントロール信号をキー操作に応じて生成して、赤外線リモートコントロール信号ＩＲmとして送信する。
【００５６】
識別情報送信装置３３は、赤外線リモートコントロール信号ＩＲmを受信したとき、受信表示処理ＫＤを行い、赤外線リモートコントロール信号ＩＲmを受信したことを表示部３３で表示する。
【００５７】
図９，図１０は、第２の形態の動作を示すフローチャートである。なお、図９はリモートコントロール装置４０bの動作、図１０は識別情報送信装置３３の動作を示している。
【００５８】
図９のステップＳＴ２１でマイクロコンピュータ４３２aは、キー操作が行われたか否かを判別する。ここで、操作部４２０のいずれかの操作キーが操作されたときにはステップＳＴ２２に進む。また、操作キーが操作されていないときはステップＳＴ２１に戻る。
【００５９】
ステップＳＴ２２でマイクロコンピュータ４３２aは、機器識別情報の問い合わせを示す信号を送信してステップＳＴ２３に進む。すなわち、マイクロコンピュータ４３２aは、機器識別情報の問い合わせを示す信号を生成して、送信部４４０に供給することで、機器識別情報の問い合わせを示す信号を赤外線リモートコントロール信号ＩＲmとして出力させる。
【００６０】
図１０のステップＳＴ４１でマイクロコンピュータ３３１aは、機器識別情報の問い合わせを示す信号を受信したか否かを判別する。ここで、通信部３３２の受光モジュール３３２aから供給された受信信号ＲＴが機器識別情報の問い合わせであることを示しているときはステップＳＴ４２に進む。また、受信信号ＲＴが識別情報の問い合わせであることを示していないとき、あるいは受信信号ＲＴが供給されていないときはステップＳＴ４３に進む。
【００６１】
ステップＳＴ４２でマイクロコンピュータ３３１aは、識別情報の送信を行ってステップＳＴ４３に進む。すなわち、マイクロコンピュータ３３１aは、メモリ３１１aに記憶されている機器識別情報ＤＥを読み出して、この読み出した機器識別情報ＤＥに基づいて情報信号ＲＥを生成する。さらに、マイクロコンピュータ３３１aは、生成した情報信号ＲＥを通信部３３２のドライバ３１２aに供給することで、機器識別情報を示す赤外線情報信号を発光素子３１２bから出力させてステップＳＴ４３に進む。
【００６２】
図９のステップＳＴ２３からステップＳＴ３１の処理は、図５のステップＳＴ２からステップＳＴ１０の処理に対応するものである。すなわち、ステップＳＴ２３でマイクロコンピュータ４３２aは、指向特性を広く設定して機器識別情報の取り込みを行いステップＳＴ２４に進む。
【００６３】
ステップＳＴ２４でマイクロコンピュータ４３２aは、受信信号ＲＳから１つの被制御機器についての機器識別情報のみが得られたか否かを判別する。ここで、１つの被制御機器についての機器識別情報のみが得られていないときはステップＳＴ２５に進み、１つの被制御機器についての機器識別情報のみが得られたときにはステップＳＴ２８に進む。
【００６４】
ステップＳＴ２５でマイクロコンピュータ４３２aは、指向特性を狭く設定して機器識別情報の取り込みを行いステップＳＴ２６に進む。
【００６５】
ステップＳＴ２６でマイクロコンピュータ４３２aは、受信信号から１つの被制御機器についての機器識別情報のみが得られたか否かを判別する。ここで、１つの被制御機器についての機器識別情報のみが得られていないときはステップＳＴ２７に進み、１つの被制御機器についての機器識別情報のみが得られたときにはステップＳＴ２８に進む。
【００６６】
ステップＳＴ２７でマイクロコンピュータ４３２aは、リモートコントロール装置で操作する被制御機器を特定できないことを示す警告表示を行ってステップＳＴ２１に戻る。
【００６７】
ステップＳＴ２８でマイクロコンピュータ４３２aは、機器識別情報に基づき被制御機器の判別を行ってステップＳＴ２９に進む。
【００６８】
ステップＳＴ２９でマイクロコンピュータ４３２aは、操作信号ＰＳに基づき、操作部４２０のいずれの操作キーが操作されたかを判別してステップＳＴ３０に進む。
【００６９】
ステップＳＴ３０でマイクロコンピュータ４３２aは、データコードの読み出しを行ってステップＳＴ３１に進む。
【００７０】
ステップＳＴ３１でマイクロコンピュータ４３２aは、リモートコントロール信号の送信を行いステップＳＴ２１に戻る。
【００７１】
図１０のステップＳＴ４３でマイクロコンピュータ３３１aは、受信信号ＲＴに基づきリモートコントロール信号ＲＭを受信したか否かを判別する。ここで、被制御機器に対応したリモートコントロール信号ＲＭを受信していないときにはステップＳＴ４１に戻る。また、被制御機器に対応したリモートコントロール信号ＲＭを受信したときはステップＳＴ４４に進む。
【００７２】
ステップＳＴ４４でマイクロコンピュータ３３１aは、ドライバ３３３aを駆動して発光素子３３３bを点灯させて、リモートコントロール信号ＲＭが受信されていることを表示してステップＳＴ４１に戻る。
【００７３】
このように、リモートコントロール装置から機器識別情報の問い合わせを示す信号を送信して、この信号を受信した識別情報送信装置から機器識別情報を送信すれば、常に機器識別情報を示す信号を繰り返し送信する必要がないため、電力が無駄に消費されてしまうことを防止できる。また、不必要に赤外線情報信号が送信されてしまうことも防止できる。
【００７４】
ところで、上述の第１および第２の形態では、機器識別情報の提示として、識別情報送信装置から機器識別情報を示す赤外線情報信号を送信する場合について説明したが、機器識別情報の提示は赤外線を用いる場合に限られるものではなく、例えば電波を用いて機器識別情報の提示を行うものとしても良い。次に、電波を用いる場合の構成を第３の形態として説明する。
【００７５】
図１１は、第３の形態の概略構成を示している。リモートコントロールシステム１０cの被制御機器には、電波を用いて機器識別情報の提示を行う識別情報送信装置、例えばＲＦＩＤ(Radio  Frequency  Identification)タグを設けるものとする。なお、図１１では被制御機器２１にＲＦＩＤタグ３４を設けた場合を図示している。
【００７６】
ＲＦＩＤタグでは、電源を有するアクティブタイプと、電波を受信してＲＦＩＤタグを動作させるための電力を得て動作を行うパッシブタイプが実用化されている。ここで、被制御機器２１に設けるＲＦＩＤタグ３４として、パッシブタイプのＲＦＩＤタグを用いるものとすれば、電池消耗等により機器識別情報の送信ができなくなってしまうことがないので、メンテナンスフリーで機器識別情報の送信を行うことができる。
【００７７】
リモートコントロール装置４０cには、ＲＦＩＤタグ３４の情報を読み取ることができる情報取込部４１０cを設け、情報取込部４１０cから電波を放射してパッシブタイプのＲＦＩＤタグ３４を動作させて、機器識別情報の取り込みを行う。
【００７８】
このようにＲＦＩＤタグを用いて機器識別情報の提示を行う場合、ＲＦＩＤタグとリモートコントロール装置との間隔が数ｍ程度離れていても通信が可能となるように構成する。例えば、パッシブタイプのタグシステム用としてＵＨＦ帯に割り当てられた９５２ＭＨｚ〜９５４ＭＨｚの周波数帯域を用いて通信を行う。
【００７９】
図１２は、第３の形態におけるＲＦＩＤタグとリモートコントロール装置の構成を示している。なお、図１２において、図２や図７と対応する部分については同一符号を付し、詳細な説明は省略する。
【００８０】
リモートコントロール装置４０cの情報取込部４１０cは、リーダ部４１４とアンテナ４１５を用いて構成する。リーダ部４１４は、信号生成部４３０cのマイクロコンピュータ４３２cから機器識別情報の問い合わせを示す信号ＲＱが供給されたとき、搬送波信号を通信信号ＲＦmとしてアンテナ４１５に供給して送信させる。次に、機器識別情報の問い合わせを示す信号によって搬送波信号を変調して、変調後の搬送波信号を通信信号ＲＦmとしてアンテナ４１５に供給して送信させる。その後、再び搬送波信号を通信信号ＲＦmとしてアンテナ４１５に供給して送信させる。また、リーダ部４１４は、アンテナ４１５で受信された通信信号ＲＦeの復調処理を行い、復調後の信号を受信信号ＲＳとしてマイクロコンピュータ４３２cに供給する。情報取込部４１０cのアンテナ４１５は、アンテナ４１５の指向性の方向と、送信部４４０から放射される赤外線リモートコントロール信号ＩＲmの放射方向が一致するように、リモートコントロール装置４０cに設ける。
【００８１】
ＲＦＩＤタグ３４は、情報信号生成部３４１としてメモリ３１１aとタグ制御部３４１a、通信部３４２としてアンテナ３４２aを有している。
【００８２】
アンテナ３４２aは、リモートコントロール装置４０cの情報取込部４１０cから送信された電波を受信して、得られた通信信号ＲＦmをタグ制御部３４１aに供給する。タグ制御部３４１aは、通信信号ＲＦmに基づいてＲＦＩＤタグを動作させるために必要な電力を生成する。例えば通信信号ＲＦmの整流や平滑等を行い必要な電力を生成する。また、通信信号ＲＦmの復調処理を行い、復調後の信号が機器識別情報の問い合わせを示す信号であるか否かを判別する。ここで、機器識別情報の問い合わせを示す信号が供給されたことを判別したときは、予めメモリ３１１aに記憶されている機器識別情報ＤＥを読み出して、この読み出した機器識別情報に基づき搬送波信号を変調して通信信号ＲＦeとしてアンテナ３４２aに供給して送信する。なお、情報取込部４１０cからは、機器識別情報の問い合わせを示す信号の送信後も搬送波信号が引き続き送信されているので、ＲＦＩＤタグ３４から機器識別情報を示す通信信号ＲＦeを送信できる。
【００８３】
図１３は、第３の形態におけるリモートコントロール装置の動作を示すフローチャートを示している。
【００８４】
ステップＳＴ５１でマイクロコンピュータ４３２cは、キー操作が行われたか否かを判別する。ここで、操作部４２０のいずれかの操作キーが操作されたときにはステップＳＴ５２に進む。また、操作キーが操作されていないときはステップＳＴ５１に戻る。
【００８５】
ステップＳＴ５２でマイクロコンピュータ４３２cは、機器識別情報の取込処理を行ってステップＳＴ５３に進む。この機器識別情報の取込処理において、マイクロコンピュータ４３２cは、機器識別情報の問い合わせを示す信号を情報取込部４１０cに供給して、上述のように搬送波信号や、機器識別情報の問い合わせを示す信号によって変調された搬送波信号を通信信号ＲＦmとして送信する。
【００８６】
ステップＳＴ５３でマイクロコンピュータ４３２cは、１つの被制御機器の機器識別情報のみが得られたか否かを判別する。ここで、マイクロコンピュータ４３２cは、情報取込部４１０cからの受信信号ＲＳに基づき、１つの被制御機器の機器識別情報が得られていないときはステップＳＴ５４に進み、１つの被制御機器の機器識別情報のみが得られたときにはステップＳＴ５５に進む。
【００８７】
ステップＳＴ５４でマイクロコンピュータ４３２cは、リモートコントロール装置で操作する被制御機器を特定できないことを示す警告表示を行ってステップＳＴ５１に戻る。
【００８８】
ステップＳＴ５５でマイクロコンピュータ４３２cは、機器識別情報に基づき被制御機器の判別を行ってステップＳＴ５６に進む。
【００８９】
ステップＳＴ５６でマイクロコンピュータ４３２cは、操作信号ＰＳに基づき、操作部４２０のいずれの操作キーが操作されたかを判別してステップＳＴ５７に進む。
【００９０】
ステップＳＴ５７でマイクロコンピュータ４３２cは、データコードの読み出しを行ってステップＳＴ５８に進む。
【００９１】
ステップＳＴ５８でマイクロコンピュータ４３２cは、リモートコントロール信号の送信を行いステップＳＴ５１に戻る。
【００９２】
このように、ＲＦＩＤタグを用いるものとすれば、赤外線を利用して機器識別情報を行う識別情報送信装置を設ける場合に比べて、安価に機器識別情報を提示できる。また、パッシブタイプのＲＦＩＤタグを用いれば、電池や電力供給のためのケーブル等を設ける必要がなく、機器識別情報の提供をメンテナンスフリーで容易に行うことができる。
【００９３】
さらに、アンテナ４１５の指向性の範囲を調整可能としてリモートコントロール装置４０cを構成すれば、上述の図９に示すフローチャートと同様に、広指向性でＲＦＩＤタグからの信号を受信して、１つの被制御機器の機器識別情報のみを得ることができないときには、狭指向性に切り換えてＲＦＩＤタグからの信号を受信するようにすれば、所望の被制御機器を示す機器識別情報の取り込みを容易かつ精度良く行うことができる。
【００９４】
ところで、上述の形態では、電波や赤外線を用いて被制御機器側から機器識別情報を送信するものであるが、機器識別情報を送信しなくとも、リモートコントロール装置で機器識別情報を取り込むことができるようにしても良い。次に、機器識別情報を送信しなくとも、リモートコントロール装置で機器識別情報を取り込むことができる構成を第４の形態として説明する。
【００９５】
図１４は、第４の形態の概略構成を示している。このリモートコントロールシステム１０dでは、機器識別情報を送信しなくとも、リモートコントロール装置で機器識別情報を取り込むことができるように、機器識別情報を示す画像、例えばバーコードを被制御機器に設けて、この画像をリモートコントロール装置４０dで読み取ることで、機器識別情報を得るものである。バーコードは、情報の記録方向が１方向のみである所謂１次元バーコードや、情報の記録方向が水平方向と垂直方向である所謂２次元バーコードを用いるものとする。なお、図１４では、被制御機器２１にバーコード３５を設けた場合を図示している。
【００９６】
図１５は、第４の形態におけるリモートコントロール装置の構成を示している。なお図１５のリモートコントロール装置４０dにおいて、図１のリモートコントロール装置４０aと対応する部分については同一符号を付し、詳細な説明は省略する。
【００９７】
マイクロコンピュータ４３２dは操作部４２０でキー操作が行われたとき、読取開始信号ＣＳを情報取込部４１０dに供給する。
【００９８】
情報取込部４１０dの投光器４１７は、読取開始信号ＣＳが供給されたとき、バーコードを走査することができるように、光ビームの方向を可変しながら出力する。受光センサ４１８は、光ビームの反射光に応じた信号ＳＢを生成して信号処理部４１９に供給する。信号処理部４１９では、受光センサ４１８から供給された信号ＳＢのレベル調整や二値化等を行い、得られた読取信号ＣＲを信号生成部４３０dのマイクロコンピュータ４３２dに供給する。
【００９９】
ここで、受光センサ４１８では、特開２００４−１４５６３３号公報の「データ読み取り機の集光方法」に記載されているように、バーコード３５から受光センサ４１８までの距離が小さい場合には反射光が受光センサ４１８に入りにくく、距離が大きい場合には受光センサ４１８への反射光量が多くなるようにミラーの取付角度を調整すれば、精度良くバーコード３５の読み取りを行うことができる。
【０１００】
また、イメージセンサを用いて受光センサ４１８を構成して、特許２６６７３９３号公報のバーコード読み取り装置のように、焦点調節機構と倍率調整機構を設けてバーコードの読み取りを行い、この読み取った画像の信号を読取信号ＣＲとして信号生成部４３０dに供給するものとしても良い。
【０１０１】
マイクロコンピュータ４３２dは、読取信号ＣＲに基づいて機器識別情報の抽出を行い、抽出した機器識別情報に基づき被制御機器の判別を行う。また、マイクロコンピュータ４３２dは、操作信号ＰＳに基づき、操作部４２０のいずれの操作キーが操作されたかを判別する。さらに、マイクロコンピュータ４３２dは、判別された被制御機器とキー操作に応じたデータコードＤＭをメモリ４３１から読み出してリモートコントロール信号ＲＭを生成して送信部４４０に供給して、赤外線リモートコントロール信号ＩＲmを出力させる。
【０１０２】
このように、被制御機器に機器識別情報を示す画像を情報提示手段として設けものとしても、この機器識別情報を示す画像を読み取り、所望の被制御機器に応じた赤外線リモートコントロール信号ＩＲmを送信できる。
【０１０３】
また、上述のリモートコントロール装置４０a〜４０dに学習機能を設けて、新たな被制御機器に対応したデータコードをメモリ４３１に登録できるようにすれば、被制御機器の数が増えても容易に対応することが可能となる。ここで、新たなデータコードＤＭを登録する場合、情報取込部を利用すれば、データコードの登録を行うための回路を新たに設けることなく、データコードの登録を行うことができる。例えば新たな被制御機器に対応したリモートコントロール装置を操作してリモートコントロール信号を赤外線信号として送信する。この赤外線信号を情報取込部４１０aで受信することにより得られたデータコードを操作部４２０の操作キーに関係付けてメモリ４３１に登録する。また、ＲＦＩＤタグ３４に、機器識別情報だけでなくデータコードも記憶させておき、リモートコントロール装置から、操作されたキーに対応するデータコードの要求を示す信号を電波で送信する。この電波を受信したＲＦＩＤタグ３４は、操作されたキーに対応するデータコードの要求に対して、被制御機器で用いられているデータコードを電波で送信する。この電波をリモートコントロール装置の情報取込部４１０cで受信して、ＲＦＩＤタグ３４から送信されたデータコードを操作部４２０の操作キーに関係付けてメモリ４３１に登録する。このように、情報取込部を利用してデータコードＤＭの登録を行うことができる。
【図面の簡単な説明】
【０１０４】
【図１】第１の形態の概略構成を示す図である。
【図２】第１の形態における識別情報送信装置とリモートコントロール装置の構成を示す図である。
【図３】情報信号のフォーマットを示す図である。
【図４】指向特性を切り換えられるようにした受光モジュールの構成を示す図である。
【図５】第１の形態におけるリモートコントロール装置の動作を示すフローチャートである。
【図６】第２の形態の概略構成を示す図である。
【図７】第２の形態における識別情報送信装置の構成を示す図である。
【図８】第２の形態の動作を示すシーケンス図である。
【図９】第２の形態におけるリモートコントロール装置の動作を示すフローチャートである。
【図１０】第２の形態における識別情報送信装置の動作を示すフローチャートである。
【図１１】第３の形態の概略構成を示す図である。
【図１２】第３の形態におけるＲＦＩＤタグとリモートコントロール装置の構成を示す図である。
【図１３】第３の形態におけるリモートコントロール装置の動作を示すフローチャートである。
【図１４】第４の形態の概略構成を示す図である。
【図１５】第４の形態におけるリモートコントロール装置の構成を示す図である。
【符号の説明】
【０１０５】
１０a，１０b，１０c，１０d・・・リモートコントロールシステム、２１，２２・・・被制御機器、３１，３３・・・識別情報送信装置、３４・・・ＲＦＩＤタグ、３５・・・バーコード、４０a，４０b，４０c，４０d・・・リモートコントロール装置、２１１，２２１・・・リモートコントロール信号受信部、３１１，３３１，３４１・・・情報信号生成部、３１２，３３２，３４２・・・通信部、３３３・・・表示部、４１０a，４１０c，４１０d・・・情報取込部、４２０・・・操作部、４３０a，４３０c，４３０d・・・信号生成部、４４０・・・送信部
【図１】
2007110350.tif 000003
【図２】
2007110350.tif 000004
【図３】
2007110350.tif 000005
【図４】
2007110350.tif 000006
【図５】
2007110350.tif 000007
【図６】
2007110350.tif 000008
【図７】
2007110350.tif 000009
【図８】
2007110350.tif 000010
【図９】
2007110350.tif 000011
【図１０】
2007110350.tif 000012
【図１１】
2007110350.tif 000013
【図１２】
2007110350.tif 000014
【図１３】
2007110350.tif 000015
【図１４】
2007110350.tif 000016
【図１５】
2007110350.tif 000017